(57)【要約】【課題】部品点数を増やすことなく騒音の発生を抑制する多翼遠心ファン及びこれを備えた多翼遠心送風機を提供する。【解決手段】外周部４ｃが円形のハブ４と、ハブ４の中央部４ａに形成され、駆動軸２ａが挿入される駆動軸穴３ａを有するボス部３と、ハブ４の外周部４ｃの接合面４ｄで接合され、等間隔離れて設けられた複数のブレード５ａを有する翼部と、を備え、ハブ４の外周部４ｃと、ブレード５ａのハブ４の接合面４ｄ側の外側縁部５ｂとを、外周側から内側にかけて一部を切り欠いた切欠部９を形成した。【選択図】図１
2014122580.tif 000002
【特許請求の範囲】
【請求項１】
駆動軸を有するモータに接続される多翼遠心ファンであって、
外周部が円形のハブと、
前記ハブの中央部に形成され、前記駆動軸が挿入される駆動軸穴を有するボス部と、
前記ハブの外周部の接合面で接合され、等間隔離れて設けられた複数のブレードを有する翼部とを備え、
前記ハブの外周部と、前記ブレードの前記ハブの接合面側の外側縁部とを、外周側から内側にかけて一部を切り欠いた切欠部を形成した
ことを特徴とする多翼遠心ファン。
【請求項２】
前記切欠部は、全周に亘って形成された
ことを特徴とする請求項１記載の多翼遠心ファン。
【請求項３】
隣接する各前記ブレードは、軸方向中央でブリッジにより連結される
ことを特徴とする請求項１又は請求項２記載の多翼遠心ファン。
【請求項４】
請求項１〜請求項３のいずれか一項に記載の多翼遠心ファンを備えた多翼遠心送風機。
【発明の詳細な説明】
【技術分野】
【０００１】
本発明は、多翼遠心ファン及びこれを備えた多翼遠心送風機に関する。
【背景技術】
【０００２】
従来、モータなどの駆動軸に取付けられて回転駆動されるハブと、このハブの外周部に等間隔に設けられた多数枚の細長のブレードを備えた翼部と、この翼部の端部に設けられ、ブレード間の間隔を保って補強するリングとを備えた多翼遠心ファンがあった。
【０００３】
しかしながら近年、モータの電磁振動が多翼遠心ファンに伝わって多翼遠心ファンの固有周波数と一致することで共振し、これにより発生する電磁振動音による騒音が問題となっていた。
【０００４】
このような問題を背景として、ゴムを挟んだ２枚の板材からなる防振部材で、モータの駆動軸が嵌入される駆動軸穴を有するボス部を挟んで支持し、モータの電磁振動が多翼遠心ファンへ伝播することを抑制する空調機用ファンが提案されている（例えば、特許文献１）。
【先行技術文献】
【特許文献】
【０００５】
【特許文献１】特開平７−１０３１９１号公報（［０００８］、図２）
【発明の概要】
【発明が解決しようとする課題】
【０００６】
しかしながら、特許文献１の空調機用ファンでは、防振ゴムを用いることで部品点数が多くなるため、複雑でコスト高になるという課題があった。
また、特許文献１の空調機用ファンでは、防振ゴムの経年劣化によって、電磁振動音の発生を抑制する効果が目減りするという課題があった。
【０００７】
本発明は、上述したような課題を背景としてなされたものであり、部品点数を増やすことなく騒音の発生を抑制する多翼遠心ファン及びこれを備えた多翼遠心送風機を提供することを目的とする。
【課題を解決するための手段】
【０００８】
本発明の多翼遠心ファンは、駆動軸を有するモータに接続される多翼遠心ファンであって、外周部が円形のハブと、前記ハブの中央部に形成され、前記駆動軸が挿入される駆動軸穴を有するボス部と、前記ハブの外周部の接合面で接合され、等間隔離れて設けられた複数のブレードを有する翼部とを備え、前記ハブの外周部と、前記ブレードの前記ハブの接合面側の外側縁部とを、外周側から内側にかけて一部を切り欠いた切欠部を形成したものである。
【０００９】
本発明の多翼遠心送風機は、本発明の多翼遠心ファンを備えたものである。
【発明の効果】
【００１０】
本発明によれば、上述した切欠部を形成したことにより、部品点数を増やすことなく騒音の発生を抑制することができる。
【図面の簡単な説明】
【００１１】
【図１】本発明の実施の形態１に係る多翼遠心送風機の縦断面図である。
【図２】本発明の実施の形態１に係る多翼遠心送風機の横断面図である。
【図３】本発明の実施の形態１に係る多翼遠心ファンの斜視図である。
【図４】本発明の実施の形態１に係る多翼遠心ファンの斜視図である。
【図５】図４の多翼遠心ファンの部分縦断面図である。
【図６】本発明の実施の形態２に係る多翼遠心ファンの斜視図である。
【図７】図６の多翼遠心ファンの部分縦断面図である。
【発明を実施するための形態】
【００１２】
以下に、本発明に係る多翼遠心ファン１００及び多翼遠心送風機３００を図面に基づいて詳細に説明する。なお、以下の実施の形態により本発明が限定されるものではない。
【００１３】
実施の形態１．
図１は、本発明の実施の形態１に係る多翼遠心送風機３００の縦断面図である。図２は、本発明の実施の形態１に係る多翼遠心送風機３００の横断面図である。図３は、本発明の実施の形態１に係る多翼遠心ファン１００の斜視図である。
図１、図２に示されるように、多翼遠心送風機３００は、スクロールケーシング１と、多翼遠心ファン１００とを備える。
【００１４】
スクロールケーシング１は、多翼遠心送風機３００の外壁を構成している。スクロールケーシング１の上壁には、ベルマウス１ａが設けられ、円形の空気吸込口１ｂが形成されている。空気吸込口１ｂは、多翼遠心送風機３００の外部の空気を多翼遠心送風機３００の内部に導入するための開口である。スクロールケーシング１の側壁には、空気吹出口１ｃが形成されている。空気吹出口１ｃは、多翼遠心送風機３００の内部に導入された空気を多翼遠心送風機３００の外部に排出するための開口である。空気吸込口１ｂは、多翼遠心ファン１００と対向して形成されている。
【００１５】
多翼遠心ファン１００は、駆動軸２ａを有するモータ２が接続されるボス部３と、ハブ４と、ブレード５ａを有する翼部５と、リング６とを備え、例えば、樹脂あるいは金属で成形されている。
【００１６】
ボス部３は、駆動軸２ａが嵌入される駆動軸穴３ａを有し、モータ２の回転により回転駆動するものであり、ハブ４と一体的に形成されている。ハブ４は、ボス部３近傍で軸方向に突出する中央部４ａと、中央部４ａから径方向外側に向かって延びる円板状の平板部４ｂとを備えた、例えば円形のものである。平板部４ｂは、ブレード５ａが接合される接合面４ｄを有する外周部４ｃを備えている。接合面４ｄは、空気吸込口１ｂと対向する面である。中央部４ａの中央には、駆動軸穴３ａが位置している。なお、ボス部３及びハブ４は別体で構成されていてもよい。また、中央部４ａはボス部３近傍で軸方向に突出しない平坦な形状となっていてもよい。
【００１７】
図１〜図３に示されるように、翼部５は、細長で湾曲した形状のブレード５ａを複数枚備え、例えば等間隔あるいは略等間隔離れて設けられている。ブレード５ａは、ブレード５ａの回転時に外周流路１ｄ側に空気を吹き出すように径方向に傾いた状態で接合面４ｄに接合され、接合された部位を基端として、中央部４ａの突出方向と同一方向に立設している。リング６は、翼部５の空気吸込口１ｂ側（上端側）に設けられ、ブレード５ａ端部の間隔を保持して補強する。これにより、各ブレード５ａはリング６を介して連結される。なお、ブレード５ａの傾き方向は、上述したような径方向に限定されず、軸方向でもよい。
【００１８】
なお、本発明における「等間隔」には、「等間隔」、「略等間隔」のいずれもが含まれるものとする。
【００１９】
以下に、多翼遠心送風機３００の動作について説明する。
モータ２の駆動により多翼遠心ファン１００が回転すると、図１の破線矢印Ａで示されるような空気の流れが発生する。
具体的には、多翼遠心ファン１００の回転により、外部の空気は、空気吸込口１ｂを介してスクロールケーシング１内に導入され、駆動軸２ａ方向に吸い込まれ、ブレード５ａの湾曲する圧力面により速度及び圧力が付与される。このように速度及び圧力が付与された空気は、所定の角度αだけ曲がって隣り合うブレード５ａ間から遠心方向に吹き出され、外周流路１ｄに流入し、外周流路１ｄで運動エネルギーを静圧へ回収しながら、空気吹出口１ｃを介してスクロールケーシング１の外部に吹き出される。
【００２０】
図４は、本発明の実施の形態１に係る多翼遠心ファン１００の斜視図である。図５は、図４の部分縦断面図である。
図４、図５に示されるように、多翼遠心ファン１００には、全周に亘って切欠部９が形成されている。切欠部９は、ハブ４の外周部４ｃと、ブレード５ａのハブ４の接合面４ｄ側の外側縁部５ｂとを、外周側から内側にかけて一部を切り欠いたものであり、切欠形状は例えば図４、図５に示されるような弧状である。そして、ハブ４のうち、隣接する全てのブレード５ａ間の下方に位置する部位も、外周部４ｃの切欠形状に合わせて切り欠かれ、図４に示されるように、ハブ４の外径が円形状となる。
【００２１】
なお、切欠部９の切欠範囲は多翼遠心ファン１００の全周に亘っている（ブレード５ａの全てに設けられている）例について説明したが、これに限定されず、切欠部９を一部にのみ設けてもよい。例えば、切欠部９を、全ブレード５ａの半数程度（例えば、ブレード５ａに１つ又は複数おき）に設けるようにしてもよく、翼部５のバランスを考慮して設計される。
【００２２】
また、切欠部９の形状は弧状に限定されず、例えば階段状や角形状などでもよい。このとき、切欠部９の幅及び高さは、電磁振動音を効果的に低減するように適宜決定される。
【００２３】
以上のように、本実施の形態１に係る多翼遠心ファン１００は、ハブ４の外周部４ｃと、ブレード５ａのハブ４の接合面４ｄ側の外側縁部５ｂとを、外周側から内側にかけて一部を切り欠いた切欠部９を形成している。
このため、軸方向振動の固有周波数をずらすことができ、また、平板部４ｂの放射面が小さくなり、軸方向振動による振動騒音を軽減することができる。したがって、部品点数を増やすことなく騒音の発生を抑制することができる。
【００２４】
実施の形態２．
図６は、本発明の実施の形態２に係る多翼遠心ファン１００の斜視図である。図７は、図６の多翼遠心ファン１００の部分縦断面図である。
本実施の形態２では、本実施の形態１と同様に切欠部９を形成し、さらにブレード５ａ間にブリッジ１０を設けている。
【００２５】
図６、図７に示されるように、ブリッジ１０は、ブレード５ａと一体成形され、ブレード５ａの軸方向中央あるいは軸方向中央付近に設けられるものであり、例えば樹脂あるいは金属で成形される。隣接する各ブレード５ａは、軸方向中央あるいは略軸方向中央でブリッジ１０により連結されることでブレード５ａのひねり振動が低減され、切欠部９が形成されることで軸方向振動による振動騒音が低減される。したがって、部品点数を増やすことなく騒音の発生を抑制することができる。
【００２６】
また、ブリッジ１０は、切欠部９を形成して平板部４ｂに設けられた平板外面部４ｅよりも外側に設けられている。このため、金型にて上型と下型の抜き型のみで成形可能となり、金型構造を簡易化することができる。
【００２７】
なお、本発明における「軸方向中央」には、「軸方向中央」、「略軸方向中央」のいずれもが含まれるものとする。
【００２８】
以上の本発明の実施の形態１，２に係る多翼遠心ファン１００は、ダクト用換気扇や全熱交換型換気機器等に用いられる多翼遠心ファンに有用であり、特に、スクロールケーシング及びモータとともに送風機を構成する多翼遠心ファンに適している。
【符号の説明】
【００２９】
１  スクロールケーシング、１ａ  ベルマウス、１ｂ  空気吸込口、１ｃ  空気吹出口、１ｄ  外周流路、２  モータ、２ａ  駆動軸、３  ボス部、３ａ  駆動軸穴、４  ハブ、４ａ  中央部、４ｂ  平板部、４ｃ  外周部、４ｄ  接合面、４ｅ  平板外面部、５  翼部、５ａ  ブレード、５ｂ  外側縁部、６  リング、９  切欠部、１０  ブリッジ、１００  多翼遠心ファン、３００  多翼遠心送風機、α  角度、Ａ  空気の流れ。
【図１】
2014122580.tif 000003
【図２】
2014122580.tif 000004
【図３】
2014122580.tif 000005
【図４】
2014122580.tif 000006
【図５】
2014122580.tif 000007
【図６】
2014122580.tif 000008
【図７】
2014122580.tif 000009